(57)【要約】  自動レベリング洗濯機であって、ハウジング（９）と、ハウジング（９）内に設けられて洗濯に用いられるドラムユニットを含み、ハウジング（９）の底板（９０１）にはレベリング底脚（１０）が装着されており、レベリング底脚（１０）の内部には油圧媒体が充填されており、油圧媒体は、レベリング底脚（１０）の内部及び／又はレベリング底脚（１０）間を流動することで洗濯機の自動レベリングを実現可能であり、ハウジング（９）の底板（９０１）には、レベリング底脚（１０）を固着するための装着凹溝が設けられている。前記自動レベリング洗濯機では、油圧媒体と一部のガスが各レベリング底脚（１０）の内部及び／又はレベリング底脚（１０）間で流動することで、大きな圧力を受けたレベリング底脚（１０）については圧縮量を増大させる一方、小さな圧力を受けたレベリング底脚（１０）については油圧の作用によって更に伸長可能として、自動的に高さのレベリングを実現する。また、装着凹溝によって効果的且つ迅速なレベリング底脚（１０）に位置決めが可能となる。装着凹溝の円周面がレベリング底脚（１０）を保護する役割を果たすため、レベリング底脚のカバー（３）がプラスチック材質からなる場合でも、高い信頼性をもって運転可能となる。【選択図】図６
2019523041.tif 000002
【特許請求の範囲】
【請求項１】
ハウジング（９）と、ハウジング（９）内に設けられて洗濯に用いられるドラムユニットを含む自動レベリング洗濯機において、
前記ハウジング（９）の底板（９０１）にはレベリング底脚（１０）が装着されており、レベリング底脚（１０）の内部には油圧媒体が充填されており、油圧媒体は、レベリング底脚（１０）の内部及び／又はレベリング底脚（１０）間を流動することで洗濯機の自動レベリングを実現可能であり、前記ハウジングの底板（９０１）には、レベリング底脚（１０）を固着するための装着凹溝が設けられていることを特徴とする自動レベリング洗濯機。
【請求項２】
前記レベリング底脚は固定部と可動部を含み、固定部と可動部の間には中空室が形成されており、中空室には油圧媒体が充填されており、
圧力が作用すると、前記油圧媒体はレベリング底脚内部の中空室及び／又はレベリング底脚間の中空室で流動し、可動部の伸縮を実現することで自動レベリングを可能とし、
前記装着凹溝は、底板（９０１）にプレス成形されたプレス凹溝（２１）を含み、プレス凹溝（２１）はレベリング底脚の固定部に一致しており、
前記レベリング底脚の固定部はプレス凹溝（２１）内に固定されることを特徴とする請求項１に記載の自動レベリング洗濯機。
【請求項３】
前記固定部は底脚受を含み、可動部はフレキシブル収容体（６）と調整脚（４）を含み、調整脚（４）は相対的に摺動可能に底脚受内に嵌設され、調整脚（４）と底脚受の間には装着室が形成されており、
前記フレキシブル収容体（６）は装着室内に設けられ、フレキシブル収容体（６）は内部に中空室を備え、中空室内に油圧媒体が充填され、
前記レベリング底脚の一端はプレス凹溝（２１）内に固定され、底脚受は少なくとも一部の円周面が前記プレス凹溝（２１）の内壁に密着することを特徴とする請求項２に記載の自動レベリング洗濯機。
【請求項４】
前記底脚受には中空室と連通するオリフィス及び弁孔がそれぞれ設けられており、オリフィス及び弁孔はそれぞれ高圧オイル配管群（１３）に接続されており、高圧オイル配管群（１３）がレベリング底脚（１０）の中空室に連通することでレベリング底脚間における油圧媒体の流動が実現され、
前記装着凹溝は、底板（９０１）上にプレス成形されて高圧オイル配管群（１３）を収容するためのオイル配管凹溝（２５）を更に含むことを特徴とする請求項３に記載の自動レベリング洗濯機。
【請求項５】
前記底板（９０１）は四辺形のプレートであり、底板（９０１）の四隅にはそれぞれレベリング底脚（１０）が装着されており、前記プレス凹溝（２１）は底板（９０１）におけるレベリング底脚（１０）に対応する四隅に設けられ、
前記底板（９０１）の対向する二辺の両端におけるレベリング底脚（１０）は、それぞれ高圧オイル配管群（１３）を介して連通しており、前記オイル配管凹溝（２５）は底板（９０１）における高圧オイル配管群（１３）に応じた対向する二辺に設けられていることを特徴とする請求項４に記載の自動レベリング洗濯機。
【請求項６】
前記の互いに連通する２つのレベリング底脚（１０）を固定するための２つのプレス凹溝（２１）と、２つのレベリング底脚（１０）を連通させる高圧オイル配管群（１３）を収容するためのオイル配管凹溝（２５）は互いに連通していることを特徴とする請求項５に記載の自動レベリング洗濯機。
【請求項７】
前記オイル配管凹溝（２５）には高圧オイル配管群（１３）を固定するための固定ユニットが設けられることを特徴とする請求項４に記載の自動レベリング洗濯機。
【請求項８】
前記固定ユニットは、オイル配管凹溝（２５）の両側に設けられる固定孔（２３）と、両端がそれぞれ両側の固定孔に固定される結束バンド（２４）を含むことを特徴とする請求項７に記載の自動レベリング洗濯機。
【請求項９】
前記底板（９０１）は四辺形のプレートであり、底板（９０１）の四隅にはそれぞれレベリング底脚（１０）が装着されており、前記プレス凹溝（２１）は底板（９０１）におけるレベリング底脚（１０）に対応する四隅に設けられ、
４つのレベリング底脚（１０）間における油圧媒体の流動を実現するよう、４つの前記レベリング底脚（１０）は、それぞれ高圧オイル配管群（１３）を介して同一の連通装置に接続され、
前記底板（９０１）の四隅におけるプレス凹溝（２１）は、それぞれ高圧オイル配管群（１３）を挿通するための切欠き（２１０４）を有することを特徴とする請求項４に記載の自動レベリング洗濯機。
【請求項１０】
前記底脚受はベース（１）とカバー（３）を含み、調整脚が相対的に摺動可能にカバー（３）の一端に嵌設され、ベース（１）がカバー（３）の他端に設けられてこれを封止し、
前記ベース（１）には複数の固定スタッド（１０２）が設けられ、固定スタッド（１０２）には装着孔（１０１）が開設されており、
前記プレス凹溝（２１）は、固定スタッドと一致する固定スタッド凹溝（２１０１）と、カバーと一致するカバー凹溝（２１０３）を含み、固定スタッド凹溝内には装着孔（１０１）に対応する第２装着孔（２１０２）が設けられることを特徴とする請求項３に記載の自動レベリング洗濯機。
【発明の詳細な説明】
【技術分野】
【０００１】
本発明は洗濯機器の技術分野に関し、具体的には、自動レベリング洗濯機に関する。
【背景技術】
【０００２】
一般的に、家電製品はハウジングの底部にレベリング装置が設けられており、家電製品の設置時にはレベリング装置を調節することで安定した設置状態を実現可能である。また、レベリングして設置した後、レベリング装置は安定を維持するように家電製品を支持可能である。
【０００３】
洗濯機の場合を例示すると、図１に示すように、一般的に従来の洗濯機はハウジング９又は全体の底部に支持脚１９が装着されている。支持脚１９は、ボルト、ナットワッシャー及びゴムパッドを含む。ナットワッシャーはボルト上で上下に回動可能とされ、ボルトもまたハウジング底板のネジ孔内で上下に回動可能とされる。底板のネジ孔に対する支持脚１９のボルトのねじ込み長さによって洗濯機の高さ調整が実現されるが、大部分の洗濯機では、底脚を反時計回りに回転させることで高さが高くなり、時計回りに回転させることで高さが低くなるよう調整される。当該脚の高さを調整した後に、緩み防止のナットワッシャーをしっかりと締めることで安定が維持される。
【０００４】
前記洗濯機の底脚の場合、洗濯機のレベリングは実現されるものの、ユーザが手動で調節を行わねばならない。そのため、洗濯機の自重が大きかったり、設置スペースが狭かったりする場合にはユーザの操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００５】
例えば、従来の８ＫＧドラム洗濯機は一般的に８０Ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００６】
このほか、洗濯機が水平でないことに伴う震動によって底脚のネジが緩み、底脚のブラケットが垂直に移動する場合がある。洗濯機の水平状態はこのような不安定性により変動し、より強い震動を招来し得る。また、こうした悪循環によって、洗濯機の使用期間が長くなるほど騒音が大きくなり、洗濯機自体も一定の損傷を受けることから、使用寿命が短縮してしまう。
【０００７】
したがって、従来の洗濯機におけるレベリングには、手動で調節せねばならないため手間がかかり、且つ、精度にも劣るとの課題が存在する。
【０００８】
以上に鑑みて、本発明を提案する。
【発明の概要】
【発明が解決しようとする課題】
【０００９】
上記の課題を解決するために、本発明は自動レベリング洗濯機を提供する。具体的には、以下の技術方案を採用する。
【課題を解決するための手段】
【００１０】
自動レベリング洗濯機であって、ハウジングと、ハウジング内に設けられて洗濯に用いられるドラムユニットを含み、前記ハウジングの底板にはレベリング底脚が装着されており、レベリング底脚の内部には油圧媒体が充填されており、油圧媒体は、レベリング底脚の内部及び／又はレベリング底脚間を流動することで洗濯機の自動レベリングを実現可能であり、前記ハウジングの底板には、レベリング底脚を固着するための装着凹溝が設けられている。
【００１１】
更に、前記レベリング底脚は固定部と可動部を含み、固定部と可動部の間には中空室が形成されており、中空室には油圧媒体が充填されており、圧力が作用すると、前記油圧媒体はレベリング底脚内部の中空室及び／又はレベリング底脚間の中空室で流動し、可動部の伸縮を実現することで自動レベリングを可能とし、前記装着凹溝は、底板にプレス成形されたプレス凹溝を含み、プレス凹溝はレベリング底脚の固定部に一致しており、前記レベリング底脚の固定部はプレス凹溝内に固定される。
【００１２】
更に、前記固定部は底脚受を含み、可動部はフレキシブル収容体と調整脚を含み、調整脚は相対的に摺動可能に底脚受内に嵌設され、調整脚と底脚受の間には装着室が形成されており、前記フレキシブル収容体は装着室内に設けられ、フレキシブル収容体は内部に中空室を備え、中空室内に油圧媒体が充填され、前記レベリング底脚の一端はプレス凹溝内に固定され、底脚受は少なくとも一部の円周面が前記プレス凹溝の内壁に密着する。
【００１３】
更に、前記底脚受には中空室と連通するオリフィス及び弁孔がそれぞれ設けられており、オリフィス及び弁孔はそれぞれ高圧オイル配管群に接続されており、高圧オイル配管群がレベリング底脚の中空室に連通することでレベリング底脚間における油圧媒体の流動が実現され、前記装着凹溝は、底板上にプレス成形されて高圧オイル配管群を収容するためのオイル配管凹溝を更に含む。
【００１４】
更に、前記底板は四辺形のプレートであり、底板の四隅にはそれぞれレベリング底脚が装着されており、前記プレス凹溝は底板におけるレベリング底脚に対応する四隅に設けられ、前記底板の対向する二辺の両端におけるレベリング底脚は、それぞれ高圧オイル配管群を介して連通しており、前記オイル配管凹溝は底板における高圧オイル配管群に応じた対向する二辺に設けられている。
【００１５】
更に、前記の互いに連通する２つのレベリング底脚を固定するための２つのプレス凹溝と、２つのレベリング底脚を連通させる高圧オイル配管群を収容するためのオイル配管凹溝は互いに連通している。
【００１６】
更に、前記オイル配管凹溝には高圧オイル配管群を固定するための固定ユニットが設けられる。
【００１７】
更に、前記固定ユニットは、オイル配管凹溝の両側に設けられる固定孔と、両端がそれぞれ両側の固定孔に固定される結束バンドを含む。
【００１８】
更に、前記底板は四辺形のプレートであり、底板の四隅にはそれぞれレベリング底脚が装着されており、前記プレス凹溝は底板におけるレベリング底脚に対応する四隅に設けられ、４つのレベリング底脚間における油圧媒体の流動を実現するよう、４つの前記レベリング底脚は、それぞれ高圧オイル配管群を介して同一の連通装置に接続され、前記底板の四隅におけるプレス凹溝は、それぞれ高圧オイル配管群を挿通するための切欠きを有する。
【００１９】
更に、前記底脚受はベースとカバーを含み、調整脚が相対的に摺動可能にカバーの一端に嵌設され、ベースがカバーの他端に設けられてこれを封止し、前記ベースには複数の固定スタッドが設けられ、固定スタッドには装着孔が開設されており、前記プレス凹溝は、固定スタッドと一致する固定スタッド凹溝と、カバーと一致するカバー凹溝を含み、固定スタッド凹溝内には装着孔に対応する第２装着孔が設けられる。
【発明の効果】
【００２０】
本発明の自動レベリング洗濯機では、油圧媒体と一部のガスが各レベリング底脚の内部及び／又はレベリング底脚間で流動することで、大きな圧力を受けたレベリング底脚については圧縮量を増大させる一方、小さな圧力を受けたレベリング底脚については油圧の作用によって更に伸長可能として、自動的に高さのレベリングを実現する。
【００２１】
本発明の自動レベリング洗濯機では、油圧システムによって洗濯機の洗浄、脱水過程でもズレを自動レベリング可能なため、一層の低震動及び低騒音が実現される。
【００２２】
本発明の自動レベリング洗濯機では、装着凹溝によって効果的且つ迅速なレベリング底脚の位置決めが可能となる。また、装着凹溝の円周面がレベリング底脚を保護する役割を果たすため、レベリング底脚のカバーがプラスチック材質からなる場合でも、高い信頼性をもって運転可能となる。
【図面の簡単な説明】
【００２３】
【図１】図１は、従来の洗濯機における支持脚の装着を示す図である。
【図２】図２は、本発明の実施例におけるレベリング底脚の装着を示す図である。
【図３】図３は、本発明の実施例における洗濯機の図２のＡ−Ａ面に沿う断面図である。
【図４】図４は、本発明の実施例における洗濯機の底部の装着構造を示す図である。
【図５】図５は、本発明の実施例における洗濯機の底部の部分装着構造を示す図である。
【図６】図６は、本発明の実施例におけるレベリング底脚と洗濯機の装着にかかる分解図である。
【図７】図７は、本発明の実施例の図６におけるＣ部分の拡大図である。
【図８】図８は、本発明の更なる実施例におけるレベリング底脚と洗濯機の装着にかかる分解図である。
【図９】図９は、本発明の更なる実施例におけるレベリング底脚と洗濯機の装着にかかる分解図である。
【図１０】図１０は、本発明の実施例におけるレベリング底脚の立体構造を示す図である。
【図１１】図１１は、本発明の実施例におけるレベリング底脚の構造分解図である。
【図１２】図１２は、本発明の実施例におけるレベリング底脚の正面図である。
【図１３】図１３は、本発明の実施例におけるレベリング底脚の側面図である。
【図１４】図１４は、本発明の実施例におけるレベリング底脚の図１２のＧ−Ｇ面に沿う断面図である。
【図１５】図１５は、本発明の実施例におけるレベリング底脚の図１２のＨ−Ｈ面に沿う断面図である。
【図１６】図１６は、本発明の実施例におけるレベリング底脚の図１３のＪ−Ｊ面に沿う断面図である。
【図１７】図１７は、本発明の実施例におけるレベリング底脚が完全に圧縮された後の図１３のＪ−Ｊ面に沿う断面図である。
【図１８】図１８は、本発明の実施例におけるレベリング底脚の組み付けを示す図である。
【図１９】図１９は、本発明の実施例におけるレベリング底脚の洗濯機に対する装着を示す図である。
【図２０】図２０は、本発明の更なる実施例におけるレベリング底脚の洗濯機に対する装着を示す図である。
【図２１】図２１は、本発明の更なる実施例におけるレベリング底脚の組み付けを示す図である。
【図２２】図２２は、本発明の更なる実施例におけるレベリング底脚の洗濯機に対する装着を示す図である。
【図２３】図２３は、本発明の実施例におけるレベリング底脚の動作状態を示す図である。
【発明を実施するための形態】
【００２４】
以下に、図面を組み合わせて本発明における自動レベリング洗濯機につき詳述する。
【００２５】
本発明は、使用しやすく、構造が簡単で、低コスト且つ信頼性に優れた自動レベリングを実現するパルセータ又はドラム洗濯機を提供する。洗濯機のレベリング底脚によれば、震動を顕著に軽減させられ、騒音が低下するため、洗濯機のユーザエクスペリエンスにかかる快適性が向上する。
【００２６】
図２に示すように、本発明ではドラム洗濯機を例示して説明する。ドラム洗濯機は、上板９０２、前板９０３、側板９０４及び底板９０１を含んで洗濯機全体のフレーム及び外観を維持するハウジング９と、粉末洗剤、液体洗剤又は柔軟剤等を投入するための洗剤ケース２０と、洗濯機を操作するための制御パネル１４と、開放して衣類を出し入れするための扉体１７と、レベリング底脚が装着されて洗濯機の自動高さ調節を実現するための底板９０１と、前板９０３の下部に設けられるカバープレート１８、を含む。
【実施例１】
【００２７】
図２に示すように、本実施例の自動レベリング洗濯機は、ハウジング９と、ハウジング９内に設けられて洗濯に用いられるドラムユニットを含む。前記ハウジング９の底板９０１にはレベリング底脚１０が装着されている。レベリング底脚１０の内部には油圧媒体が充填されている。油圧媒体は、レベリング底脚１０の内部又はレベリング底脚１０間を流動することで、洗濯機の自動レベリングを実現可能である。前記ハウジングの底板９０１には、レベリング底脚１０を固着するための装着凹溝が設けられている。
【００２８】
本実施例の自動レベリング洗濯機では、油圧媒体と一部のガスが各レベリング底脚の内部及び／又はレベリング底脚間で流動することで、大きな圧力を受けたレベリング底脚については圧縮量を増大させる一方、小さな圧力を受けたレベリング底脚については油圧の作用によって更に伸長可能として、自動的に高さのレベリングを実現する。
【００２９】
本実施例の自動レベリング洗濯機では、油圧システムによって洗濯機の洗浄、脱水過程でもズレを自動レベリング可能なため、一層の低震動及び低騒音が実現される。
【００３０】
本実施例の自動レベリング洗濯機では、装着凹溝によって効果的且つ迅速なレベリング底脚の位置決めが可能となる。また、装着凹溝の円周面がレベリング底脚を保護する役割を果たすため、レベリング底脚のカバーがプラスチック材質からなる場合でも、高い信頼性をもって運転可能となる。
【００３１】
更に、図２、図３、図４、図５及び図６に示すように、前記レベリング底脚は固定部と可動部を含む。固定部と可動部の間には中空室が形成されており、中空室に油圧媒体が充填される。圧力が作用すると、前記油圧媒体はレベリング底脚内部の中空室及び／又はレベリング底脚間の中空室で流動し、可動部の伸縮を実現することで自動レベリングを可能とする。前記装着凹溝は、底板９０１にプレス成形されたプレス凹溝２１を含む。プレス凹溝２１はレベリング底脚の固定部に一致しており、前記レベリング底脚の固定部はプレス凹溝２１内に固定される。
【００３２】
具体的には、図７に示すように、前記固定部は底脚受を含み、可動部はフレキシブル収容体６と調整脚４を含む。調整脚４は相対的に摺動可能に底脚受内に嵌設される。また、調整脚４と底脚受の間には装着室が形成されている。前記フレキシブル収容体６は装着室内に設けられる。フレキシブル収容体６は内部に中空室を備え、中空室内に油圧媒体が充填される。前記底脚受の一端はプレス凹溝２１内に固定され、調整脚４は被押圧状態時においてプレス凹溝２１から伸出する。
【００３３】
更に、図８及び図９に示すように、前記底脚受には中空室と連通するオリフィス及び弁孔がそれぞれ設けられている。オリフィス及び弁孔はそれぞれ高圧オイル配管群１３に接続されており、高圧オイル配管群１３はレベリング底脚１０の中空室に連通している。これにより、レベリング底脚間における油圧媒体の流動が実現される。更に、前記装着凹溝は、底板９０１上にプレス成形されて高圧オイル配管群１３を収容するためのオイル配管凹溝２５を含む。
【００３４】
図７に示すように、底脚受はベース１とカバー３を含む。カバー３の一端には調整脚が相対的に摺動可能に嵌設され、カバー３の他端にはこれを封止するようベース１が設けられている。
【００３５】
前記ベース１には複数の固定スタッド１０２が設けられ、固定スタッド１０２には装着孔１０１が開設されている。
【００３６】
前記プレス凹溝２１は、固定スタッドと一致する固定スタッド凹溝２１０１と、カバーと一致するカバー凹溝２１０３を含む。また、固定スタッド凹溝内には装着孔１０１に対応する第２装着孔２１０２が設けられる。
【００３７】
更に、前記底板９０１は四辺形のプレートであり、底板９０１の四隅にそれぞれレベリング底脚１０が装着される。また、前記プレス凹溝２１は底板９０１におけるレベリング底脚１０に対応する四隅に設けられる。
【００３８】
４つのレベリング底脚１０間における油圧媒体の流動を実現するよう、４つの前記レベリング底脚１０は、それぞれ高圧オイル配管群１３を介して同一の連通装置に接続される。
【００３９】
前記底板９０１の四隅におけるプレス凹溝２１は、それぞれ高圧オイル配管群１３を挿通するための切欠き２１０４を有する。
【００４０】
本実施例の洗濯機における底板９０１の四隅にはプレス凹溝２１が１つずつ備わっており、レベリング底脚１０を位置決め、固定、保護、強化するとの役割を発揮するため、レベリング底脚１０の寿命が大幅に延長される。
【００４１】
本実施例の高圧オイル配管群１３は、Ｘ形状をなすように４つのレベリング底脚１０に接続されている。また、底板９０１には、Ｘ形状又はＸ形状を配置可能なオイル配管凹溝２５がプレスされている。
【００４２】
オイル配管凹溝２５には固定孔２３が設けられているため、結束バンド２４によって高圧オイル配管群１３をしっかりと底板９０１に固定可能である。なお、好ましくは、高圧オイル配管群１３をオイル配管凹溝２５に緊締する。これによれば、オイル配管が外部に露出しないため外観に優れるほか、オイル配管が外部において不要に損傷するとの事態が回避される。例えば、オイル配管が固定されていない場合にはぐらつきの恐れがあり、運搬中や使用中に底板９０１と衝突することで騒音が発生してしまう。また、底板９０１との摩耗によりオイル漏れが生じ、より深刻な場合にはオイル配管が他の物品に引っ張られて切断され、オイル漏れが発生する等の問題が起こり得る。
【００４３】
本発明の自動レベリング洗濯機における図６のＣ部分の拡大図である図７によれば、更に視覚的にレベリング底脚１０とプレス凹溝２１との係合関係を観察可能である。
【００４４】
レベリング底脚１０と高圧オイル配管群１３はクランプにより緊締される。
【００４５】
レベリング底脚１０は、動作可能なレベリング底脚１０を保護するカバーを有する。
【００４６】
レベリング底脚１０は、上面に固定孔１０１を１つずつ備える複数の固定スタッド１０２を有する。
【００４７】
底板９０１は、外形がレベリング底脚１０の上部と略一致するプレス凹溝２１を有する。プレス凹溝２１は、底部に第２装着孔２１０２を有し、ネジ又はボルトによりレベリング底脚の固定スタッドを緊締可能な複数の固定スタッド凹溝２１０１と、レベリング底脚１０のカバーと係合関係をなし、レベリング底脚１０を位置決め、固定、保護、強化するとの役割を発揮することでレベリング底脚１０の寿命を大幅に向上させるカバー凹溝２１０３と、レベリング底脚１０の上部に接続される高圧オイル配管群１３への干渉を防止する切欠き２１０４、を含む。
【００４８】
側板９０４は押し型を有する。これは、主として洗濯機のハウジング強度を補強するためのものである。洗濯機が満載状態の場合には内部が大重量となるが、押し型によって洗濯機の変形を効果的に防止可能となる。
【００４９】
本実施例の実施形態として、図８及び図９に示すように、前記底板９０１は四辺形のプレートであり、底板９０１の四隅にはそれぞれレベリング底脚１０が装着される。また、前記プレス凹溝２１は底板９０１におけるレベリング底脚１０に対応する四隅に設けられる。
【００５０】
前記底板９０１の対向する二辺の両端におけるレベリング底脚１０は、それぞれ高圧オイル配管群１３を介して連通している。また、前記オイル配管凹溝２５は底板９０１における高圧オイル配管群１３に応じた対向する二辺に設けられている。
【００５１】
更に、前記の互いに連通する２つのレベリング底脚１０を固定するための２つのプレス凹溝２１と、２つのレベリング底脚１０を連通させる高圧オイル配管群１３を収容するためのオイル配管凹溝２５は互いに連通している。
【００５２】
また、更に、前記オイル配管凹溝２５には高圧オイル配管群１３を固定するための固定ユニットが設けられている。
【００５３】
具体的に、前記固定ユニットは、オイル配管凹溝２５の両側に設けられる固定孔２３と、両端がそれぞれ両側の固定孔に固定される結束バンド２４を含む。
【００５４】
図８に示すように、洗濯機の底板９０１には２つ１組となって連通するレベリング底脚１０が２組装着されている。Ａ方向、即ち洗濯機の左右両側の側板９０４に沿う２つのレベリング底脚１０が連通している。洗濯機の底板９０１には、Ａ方向に沿って、２つのレベリング底脚１０間にオイル配管凹溝２５が各々設けられている。また、上述したように、固定孔２３を備え、結束バンド２４により高圧オイル配管群１３が緊締される。
【００５５】
同様の実施例としては、Ｂ方向、即ち洗濯機の前板の両側、後板の両側に沿う２つのレベリング底脚１０が連通している。なお、洗濯機の底板９０１については図示するように設置するため、ここでは改めて詳述しない。
【００５６】
図９に示すように、洗濯機の底板９０１には連通する２つのレベリング底脚が１組装着されている。また、同様の実施例としては、Ｂ方向、即ち洗濯機の前後両側に沿う２つのレベリング底脚は連通しているが、他方の側は通常のボルト底脚とする。具体的には２つの実施例が存在する。まず、Ｂ方向に沿う２つの底脚が連通しており、且つ、これら２つの底脚がいずれも前板９０３寄りの場合、洗濯機の底板が図示するように設けられる。即ち、Ｂ方向に沿って、前板９０３寄りの２つの底脚間にオイル配管凹溝２５が設けられる。また、同様に、上述した固定孔２３を備え、結束バンド２４により高圧オイル配管群１３が緊締される。
【００５７】
一方、Ｂ方向に沿って、前板９０３から離れた２つの底脚には従来のボルト底脚が用いられる。
【００５８】
同様の実施例として、Ａ方向、即ち洗濯機の左右両側の側板に沿う一方の２つのレベリング底脚１０は連通しているが、他方は通常のボルト底脚とする。なお、具体的な実施例としては２つあるが、洗濯機の底板については図示するように設置されるためここでは改めて詳述しない。
【実施例２】
【００５９】
図１０〜図１６に示すように、本実施例のレベリング底脚は、底脚受、フレキシブル収容体６及び調整脚４を含む。前記底脚受は中空室を有し、底脚受には中空室にそれぞれ連通するオリフィス７と弁孔８が設けられている。また、オリフィス７と弁孔８はそれぞれ高圧オイル配管に接続されている。前記フレキシブル収容体６は中空室内に設けられる。また、フレキシブル収容体６の内部には収容室が備わっており、収容室の内部に油圧媒体が充填される。圧力が作用した場合、複数の底脚内の油圧媒体は高圧オイル配管を通じて互いに流動可能である。前記調整脚４の一端は相対的に摺動可能に中空室内に設けられ、フレキシブル収容体６は調整脚４に接触するか接続される。
【００６０】
本実施例のレベリング底脚は油圧の原理に基づく。底脚には油圧媒体が充填されているため、底脚は圧力の違いに応じて、油圧媒体の流動性により適応的な調整を自動的に実施する。
【００６１】
本実施例のレベリング底脚ではオリフィス７と弁孔８がそれぞれ高圧オイル配管に接続されているため、高圧オイル配管を介して底脚間の連通を実現可能である。よって、調整範囲がより広がり、調整効果も一層良好となる。
【００６２】
本実施例におけるレベリング底脚では、油圧媒体を密封されたフレキシブル収容体６に充填しており、且つ、当該フレキシブル収容体６が調整脚４の内部に配置されている。これにより、油圧媒体が漏出するとの問題が効果的に解決され、底脚の動作の安定性が確保される。
【００６３】
したがって、本実施例におけるレベリング底脚の構造は簡単であり、低コストである。また、使用しやすく信頼性に優れる。且つ、震動を顕著に軽減させられ、騒音が低下するため、洗濯機のユーザエクスペリエンスにかかる快適性が向上する。
【００６４】
更に、本実施例における底脚受は互いに接続されるベース１とカバー３を含む。ベースには凹溝が設けられており、ベース１とカバー３の間には圧縮リング１１が設けられている。前記フレキシブル収容体６の一端には開口６０４が備わっており、開口が密封構造６０３を有する。密封構造６０３の一端は凹溝内に設けられ、他端は圧縮リング１１の圧着によってフレキシブル収容体６とベース１との密封接続を維持する。
【００６５】
更に、本実施例のベース１内には１つのオリフィス７及び少なくとも２つの弁孔８が設けられる。オリフィス７と弁孔８はそれぞれフレキシブル収容体６の開口６０４に連通しており、オリフィス７は弁孔８の中間に設けられる。第１の圧力下では、前記オリフィス７と弁孔８がいずれも連通を維持する。一方、第２の圧力下では、フレキシブル収容体６が弁孔８を塞ぐまで圧縮されるが、オリフィス７は連通を維持する。
【００６６】
本実施例におけるベース１には複数のオイルノズル２が設けられる。オイルノズル２は、オリフィス７と弁孔８にそれぞれ連通している。オイルノズル２は脱落防止ボス２０１を有する。脱落防止ボス２０１の外径は高圧オイル配管の内径よりも大きく、具体的には０．１〜１．５ｍｍである。
【００６７】
オイルノズル２の基端には案内構造２０２が設けられている。具体的に、オイルノズルの基端をオイル配管に挿入しやすいよう、案内構造２０２は面取り構造となっている。
【００６８】
具体的には、図示するように、本実施例におけるレベリング底脚は１つのオリフィス７と２つの弁孔８を含む。オリフィス７は２つの弁孔８の間に設けられ、前記オリフィス７は第２オイルノズル２０４に接続されている。また、２つの弁孔８はそれぞれ第１オイルノズル２０３と第３オイルノズル２０５に接続されている。
【００６９】
ベース１は複数の装着孔１０１を有し、ボルト又はネジによって洗濯機の底板９０１に緊締可能である。これより、ベース１の中心位置にネジ付きスタッドを備えて洗濯機の底板９０１にねじ込む形態を連想可能である。
【００７０】
本実施例のレベリング底脚では、前記フレキシブル収容体６の開口６０４と中空室との間に小径構造６０２が備わっている。小径構造６０２の内径は、開口６０４及び中空室の内径のいずれよりも小さい。
【００７１】
本実施例におけるフレキシブル収容体６の小径構造６０２は、中央に開口６０４と連通を維持するオイル孔を有する。小径構造６０２は、オイル孔を有することでオリフィス７、弁孔８の油圧媒体を常に流入又は流出させられるとの特性を有する。調整脚４の圧力が過度に大きくなり、小径構造６０２周辺のゴムがベース１に密着すると、弁孔８が密封されて、より大きな絞り作用が実現される。
【００７２】
本実施例におけるフレキシブル収容体６はコルゲートチューブ部である。コルゲートチューブ部の内部は中空室となっている。コルゲートチューブ部によって、フレキシブル収容体６は圧縮又は伸長時に不要な襞が発生するため、使用寿命が延長される。
【００７３】
本実施例におけるレベリング底脚では、前記カバー３の内壁に縦方向位置規制凹溝３０１が設けられている。また、これに対応して、調整脚４の外壁には縦方向位置規制突起４０１が設けられており、縦方向位置規制突起４０１と縦方向位置規制凹溝３０１が係合することで、調整脚の縦方向における上下の伸縮運動が規定される。このように設けることで、以下のような利点が得られる。
【００７４】
（１）調整脚４が垂直に上下運動し、側方への偏りが生じない。
（２）カバー３内での調整脚４の回転運動が防止されるため、洗濯機の震動が大幅に軽減する。
（３）カバー３からの調整脚４の抜け落ちが効果的に防止されるため、フレキシブル収容体６の破壊や、地面に直接接触することによる鋭利な物に起因する破壊が回避される。
【００７５】
図１８〜図２２に示すように、本実施例はレベリング底脚を備える。前記洗濯機の底部には複数の底脚１０が装着されており、前記底脚１０は固定部と可動部を含む。固定部と可動部の間には中空室が形成されており、中空室に油圧媒体が充填される。前記底脚１０は高圧オイル配管を通じて２つずつ接続されており、これにより２つの底脚１０の中空室同士の連通を実現している。或いは、全ての前記底脚１０が高圧オイル配管を通じてそれぞれ連通装置１５に接続されており、これにより全ての底脚の中空室同士の連通を実現している。圧力が作用すると、前記油圧媒体が互いに連通する底脚１０の中空室間を流動し、可動部の伸縮を実現することで自動レベリングを可能とする。
【００７６】
本実施例のレベリング底脚は、一定の圧力が作用した場合に油圧媒体がガスを圧縮し、これに伴って可動部が適応的に伸縮する。圧力が更に増大するとガスはそれ以上圧縮されなくなり、油圧媒体に対しガスの内圧が反作用することで、可動部は十分な支持力を持つことになる。したがって、本実施例のレベリング底脚は適応的な自動レベリング機能を有する。本実施例の油圧媒体としては、具体的に作動油を選択すればよい。
【００７７】
本実施例のレベリング底脚は油圧の原理に基づく。底脚には油圧媒体が充填されているため、底脚は圧力の違いに応じて、油圧媒体の流動性により適応的な調整を自動的に実施する。油圧媒体は全ての底脚間を流動可能であり、１つの底脚が力を受けて圧縮すると、油圧媒体はこれに連通する別の底脚へと流動する。すると、別の底脚は内部の油圧媒体が増加し、圧力が増大して伸出するため、十分な支持力が確保される。このように、本実施例のレベリング底脚は調整範囲がより広く、調整効果も更に良好となる。
【００７８】
したがって、本実施例におけるレベリング底脚の構造は簡単であり、低コストである。また、使用しやすく信頼性に優れる。且つ、震動を顕著に軽減させられ、騒音が低下するため、洗濯機のユーザエクスペリエンスにかかる快適性が向上する。
【００７９】
本発明では、ドラム洗濯機を例示して説明する。ドラム洗濯機は、衣類を投入して洗浄するための洗浄ドラムと、粉末洗剤、液体洗剤又は柔軟剤等を投入するための洗剤ケースと、洗濯機を操作するための制御パネル１４と、開放して衣類を出し入れするための扉と、少なくとも１つの回転可能な伝動軸に接続されて少なくとも１つの出力を実現するモータユニットと、洗濯機全体のフレーム及び外観を維持するためのハウジング９と、本実施例のレベリング底脚を装着する底板９０１、を含む。
【００８０】
図１８に示すように、本実施例のレベリング底脚は第１底脚と第２底脚を含む。第１底脚と第２底脚はそれぞれオリフィス７と弁孔８を備え、オリフィス７と弁孔８がそれぞれ中空室に連通している。前記第１底脚のオリフィス７と第２底脚の弁孔８が高圧オイル配管を通じて接続されており、第１底脚の弁孔８と第２底脚のオリフィス７が高圧オイル配管を通じて接続されている。
【００８１】
具体的に、本実施例の第１底脚と第２底脚は、１つのオリフィス７、第１弁孔及び第２弁孔という２つの弁孔５をそれぞれ備え、オリフィス７、第１弁孔及び第２弁孔がそれぞれ中空室に連通している。前記第１底脚のオリフィス７と第２底脚の第１弁孔は第２高圧オイル配管１３０２を通じて接続されている。第１底脚の第１弁孔と第２底脚のオリフィス７は第１高圧オイル配管１３０１を通じて接続されている。第１底脚の第２弁孔と第２底脚の第２弁孔は第３高圧オイル配管１３０３を通じて接続されている。前記第１高圧オイル配管１３０１、第２高圧オイル配管１３０２及び第３高圧オイル配管１３０３によって油圧パイプ群１３が構成される。
【００８２】
具体的には、図１９に示すように、洗濯機の底板９０１の四隅には４つの底脚が固着される。高圧オイル配管群１３によって洗濯機の底板９０１の左側における２つの底脚が連通することで、第１底脚群１００１が構成される。また、高圧オイル配管群１３によって洗濯機の底板９０１の右側における２つの底脚が連通することで、第２底脚群１００２が構成される。
【００８３】
これによれば、第１底脚群１００１における油圧媒体と一部のガスが、圧力の違いに応じてこれら２つの底脚間で互いに流動可能となる。また、第２底脚群１００２における油圧媒体と一部のガスが、圧力の違いに応じてこれら２つの底脚間で互いに流動可能となる。
【００８４】
図２０に示すように、洗濯機の底板９０１の四隅には４つの底脚が固着される。高圧オイル配管群１３によって洗濯機の底板９０１の後側における２つの底脚が連通することで、第３底脚群１００３が構成される。また、高圧オイル配管群１３によって洗濯機の底板９０１の前側における２つの底脚が連通することで、第４底脚群１００４が構成される。
【００８５】
これによれば、第３底脚群１００３における油圧媒体と一部のガスが、圧力の違いに応じてこれら２つの底脚間で互いに流動可能となる。また、第４底脚群１００４における油圧媒体と一部のガスが、圧力の違いに応じてこれら２つの底脚間で互いに流動可能となる。
【００８６】
図２１及び図２２に示すように、ハウジング９の底板９０１における四隅又はハウジング９の底板における円周方向には、互いに連通する少なくとも４つの底脚１０が均一に設けられている。各底脚１０内には油圧媒体とガスが充填されている。第１の圧力範囲では、各底脚１０内における油圧媒体とガスの相互作用によって可動部の伸縮が実現される結果、自動レベリングが行われる。また、第２の圧力範囲では、互いに連通する底脚１０内の油圧媒体とガスの相互作用によって可動部の伸縮が実現される結果、自動レベリングが行われる。このような方式によれば、全ての底脚間の連通が実現されるため、油圧媒体は全ての底脚間で流動可能となる。よって、調整範囲がより広がり、調整効果も一層良好となる。
【００８７】
具体的には、前記底脚１０は、油圧媒体とガスを充填するための密封室を内部に備える。前記密封室には高圧オイル配管群１３が連通している。また、全ての底脚１０間の連通が実現されるよう、各前記底脚１０の高圧オイル配管群１３はそれぞれ連通装置１５に連通している。
【００８８】
本実施例のレベリング底脚では、ガスを弾性媒体、液体を動力伝達媒体としているため、良好な緩衝性能だけでなく、震動減衰作用も有している。更には、受けた圧力の大きさに応じて底脚自体の高さを調節可能である。
【００８９】
レベリングの原理を具体的に説明すると、図２３に示すように、洗濯機の設置後、地面１６が水平でないと各底脚の水平高さが異なることになり、地面の窪み１６０１に置かれる底脚の位置が低くなる。ここから明らかなように、まずは高位置の底脚が洗濯機の重量を受け、且つ、受ける重力が大きい。一方、低位置の底脚については機能しないか、受ける重量が小さい。ここで、高位置の底脚における調整脚は大きな圧力がかかると上方に変位するため、底脚の高さ全体が縮小し、作動油が充満したフレキシブル収容体６の中空室の容積が圧縮により縮小する。これにより、油圧媒体がオリフィス又は弁孔に進入し、高圧オイル配管群を通じて低位置の底脚内に進入する。すると、低位置の底脚におけるフレキシブル収容体６の油圧媒体が増え続け、フレキシブル収容体６が膨張することで調整脚を伸長させる。
【００９０】
高位置の底脚と低位置の底脚の油圧が同等となると、油圧媒体は高圧オイル配管群からそれ以上流動しなくなり、調整脚と洗濯機の底板との相対位置もそれ以上変化しなくなる。こうして、レベリング底脚の自動調整が完了する。
【００９１】
洗濯機の洗浄又は脱水の過程においても、油圧媒体は緩やかに流動して自動レベリングを実施可能なため、洗濯機の振動による騒音が大幅に軽減される。
【００９２】
また、本実施例は、上記のレベリング底脚を有する洗濯機を提供する。当該洗濯機はハウジング９を含み、ハウジング９の底部に複数の前記レベリング底脚１０が装着される。また、レベリング底脚の内部に充填された油圧媒体がレベリング底脚間で流動することでレベリングを実現可能である。
【００９３】
本実施例の洗濯機は、工場出荷時の設定として４つのレベリング底脚の高さを一致させることが好ましい。洗濯機を平坦でない地面に任意に設置した場合、４つのレベリング底脚は地面の非水平状況に応じて異なる圧力を受ける。そして、カバーに対する調整脚の押し込み長さが異なることで、洗濯機の自動レベリングが実現される。
【００９４】
更に、上記実施例について以下を説明する。
【００９５】
１．本発明の実施例における底脚は２つずつ連通しているが、数量をＮ≧２とし、３つ乃至はより多くを連通させてもよい。ただし、コストが最も抑えられ、且つ良好な効果を実現可能なことから、２つとすることが好ましい。
【００９６】
本発明の実施例では、連通装置１５の４つの端部開口を用いて４つの底脚をそれぞれ接続しているが、３つ、５つ、６つ、Ｎ個の端部開口を備える連通装置１５を用いて、その端部開口を３つ、５つ、６つ、Ｎ個の底脚にそれぞれ接続することが推測される。上記の実施例では、コストが最低限に抑えられるよう、上記機能を実現可能な場合の最適数として４個を採用しているにすぎない。
【００９７】
２．本発明の実施例ではドラム洗濯機を例示し、本発明においてドラム洗濯機の自動レベリングを実現する原理と方法について詳述したが、容易に連想可能なように、本発明はパルセータ洗濯機にも応用可能である。
【００９８】
３．本発明の実施例では洗濯機を例示し、本発明において洗濯機の自動レベリングを実現する原理と方法について詳述したが、容易に連想可能なように、本発明は、冷蔵庫、冷凍庫、食洗器等の家電製品にも応用可能である。
【００９９】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【０１００】
１  ベース
１０１  装着孔
２  オイルノズル
２０１  脱落防止ボス
２０２  案内構造
２０３  第１オイルノズル
２０４  第２オイルノズル
２０５  第３オイルノズル
３  カバー
３０１  縦方向位置規制凹溝
４  調整脚
４０１  縦方向位置規制突起
５  弾性ワッシャー
６  フレキシブル収容体
６０１  コルゲートチューブ部
６０２  小径構造
６０３  密封構造
６０４  開口
７  オリフィス
８  弁孔
９  ハウジング
９０１  底板
９０２  上板
９０３  前板
９０４  側板
１０  底脚
１１  圧縮リング
１２  クランプ
１３  高圧オイル配管群
１３０１  第１高圧オイル配管
１３０２  第２高圧オイル配管
１３０３  第３高圧オイル配管
１４  制御パネル
１５  連通装置
１６  地面
１６０１  地面の窪み
１７  扉体
１８  カバープレート
１９  支持脚
２０  洗剤ケース
２１  プレス凹溝
２１０１  固定スタッド凹溝
２１０２  第２装着孔
２１０３  カバー凹溝
２１０４  切欠き
２３  固定孔
２４  結束バンド
２５  オイル配管凹溝
【図１】
2019523041.tif 000003
【図２】
2019523041.tif 000004
【図３】
2019523041.tif 000005
【図４】
2019523041.tif 000006
【図５】
2019523041.tif 000007
【図６】
2019523041.tif 000008
【図７】
2019523041.tif 000009
【図８】
2019523041.tif 000010
【図９】
2019523041.tif 000011
【図１０】
2019523041.tif 000012
【図１１】
2019523041.tif 000013
【図１２】
2019523041.tif 000014
【図１３】
2019523041.tif 000015
【図１４】
2019523041.tif 000016
【図１５】
2019523041.tif 000017
【図１６】
2019523041.tif 000018
【図１７】
2019523041.tif 000019
【図１８】
2019523041.tif 000020
【図１９】
2019523041.tif 000021
【図２０】
2019523041.tif 000022
【図２１】
2019523041.tif 000023
【図２２】
2019523041.tif 000024
【図２３】
2019523041.tif 000025
【国際調査報告】
2019523041.tif 000026
2019523041.tif 000027
2019523041.tif 000028
2019523041.tif 000029
2019523041.tif 000030
2019523041.tif 000031
2019523041.tif 000032
2019523041.tif 000033